(57)【特許請求の範囲】
【請求項１】
充電可能領域に配置されている複数の被充電機器を充電可能な充電台を制御する充電台制御端末であって、
上記の複数の被充電機器の充電に関する制御指示を受け付ける指示受付手段と、
上記充電台の被充電機器に対する充電処理により、蓄電池を充電する充電部と、
自端末を含む、上記充電台の充電可能領域に配置されている被充電機器の充電に関する制御を行う管理機器であることを示す管理機器特定情報を設定する管理機器特定情報設定手段と、
上記管理機器特定情報設定手段が管理機器特定情報を設定すると、上記充電台に対し、上記指示受付手段で受け付けた制御指示のとおりに上記被充電機器を充電させる制御情報を、上記充電台に送信する制御情報送信手段と、を備えていることを特徴とする充電台制御端末。
【請求項２】
表示部と、
上記充電可能領域に配置された上記被充電機器に関する被充電機器情報を、上記充電台から取得する被充電機器情報取得手段と、
上記被充電機器情報取得手段が取得した上記被充電機器情報を用いて、上記表示部に上記被充電機器の情報を表示させる表示制御手段と、を備えていることを特徴とする請求項１に記載の充電台制御端末。
【請求項３】
上記被充電機器情報には、当該被充電機器の上記充電可能領域における位置を示す位置情報が含まれており、
上記表示制御手段は、上記位置情報を用いて、上記充電可能領域における被充電機器の位置と対応させて上記表示部に該被充電機器を示す図柄を表示させることを特徴とする請求項２記載の充電台制御端末。
【請求項４】
上記被充電機器情報には、当該被充電機器の充電状況を示す充電状況情報が含まれており、
上記表示制御手段は、上記充電状況情報を用いて、被充電機器と該被充電機器の充電状況とを対応付けて上記表示部に表示させることを特徴とする請求項２または３に記載の充電台制御端末。
【請求項５】
上記被充電機器情報取得手段は、上記被充電機器情報を定期的に取得し、
上記表示制御手段は、上記被充電機器情報取得手段が取得した最新の上記被充電機器情報を用いて、上記表示部に上記被充電機器の情報を表示することを特徴とする請求項２〜４のいずれか１項に記載の充電台制御端末。
【請求項６】
上記充電に関する制御指示とは、充電順位の指示であり、
上記制御情報送信手段は、上記充電台に対し、上記指示受付手段で受け付けた、充電順位のとおりに上記被充電機器を充電させる制御情報を、上記充電台に送信することを特徴とする請求項１〜５のいずれか１項に記載の充電台制御端末。
【請求項７】
上記充電に関する制御指示とは、充電台の充電能力に対する各被充電機器の充電割合の指示であり、
上記制御情報送信手段は、上記充電台に対し、上記指示受付手段で受け付けた、充電割合のとおりに上記被充電機器を充電させる制御情報を、上記充電台に送信することを特徴とする請求項１〜５のいずれか１項に記載の充電台制御端末。
【請求項８】
上記充電部は、上記充電台に内蔵された送電コイルと電磁結合することにより起電力が
誘導され、誘導された起電力により蓄電池を充電するものであることを特徴とする請求項１〜７のいずれか１項に記載の充電台制御端末。
【請求項９】
充電可能領域に配置された複数の被充電機器を充電する充電台であって、
上記複数の被充電機器の少なくとも１つから、充電可能領域に配置されている被充電機器の充電に関する制御を行うことができる機器であること示す制御可能情報を取得する制御可能情報取得手段と、
上記制御可能情報取得手段が取得した、制御可能情報の送信元である被充電機器の中から、充電可能領域に配置されている被充電機器の充電に関する制御を行う管理機器を判断する管理機器判断手段と、
上記管理機器判断手段が、管理機器であると判断した被充電機器に対し、管理機器として判断したことを示す管理機器特定情報を送信する管理機器特定情報送信手段と、
上記管理機器特定情報送信手段が管理機器特定情報を送信した被充電機器から、充電可能領域に配置されている被充電機器の充電に関する制御指示を受け付けると、該制御指示のとおりに充電可能領域に配置されている被充電機器の充電を行う充電手段と、を備えていることを特徴とする充電台。
【請求項１０】
最初に制御可能情報を送信した被充電機器を管理機器に決定する管理機器決定手段を備え、
上記管理機器判断手段は、上記管理機器決定手段が管理機器として決定した被充電機器を、上記管理機器と判断することを特徴とする請求項９に記載の充電台。
【請求項１１】
制御可能情報を送信した被充電機器が複数存在する場合、所定の位置に配置されている被充電機器を管理機器に決定する管理機器決定手段を備え、
上記管理機器判断手段は、上記管理機器決定手段が管理機器として決定した被充電機器を、上記管理機器と判断することを特徴とする請求項９に記載の充電台。
【請求項１２】
ユーザの指示を受け付ける受付手段と、
制御可能情報を送信した被充電機器が複数存在する場合、上記受付手段で受け付けたユーザの指示により管理機器を決定する管理機器決定手段と、を備え、
上記管理機器判断手段は、上記管理機器決定手段が管理機器として決定した被充電機器を、上記管理機器と判断することを特徴とする請求項９に記載の充電台。
【請求項１３】
充電可能領域に配置されている全ての被充電機器から、それぞれの被充電機器に関する情報を取得する被充電機器情報取得手段と、
上記被充電機器情報取得手段が取得した被充電機器情報を、上記管理機器判断手段が管理機器と判断した被充電機器に送信する被充電機器情報送信手段と、を備えていることを特徴とする請求項９〜１２のいずれか１項に記載の充電台。
【請求項１４】
送電コイルを内蔵し、上記複数の被充電機器に内蔵された受電コイルと電磁結合することにより該受電コイルに起電力を誘導して上記複数の被充電機器を充電するものであることを特徴とする請求項９〜１３のいずれか１項に記載の充電台。
【請求項１５】
充電可能領域に配置されている複数の被充電機器を充電可能な充電台を制御する充電台制御端末の制御方法であって、
上記の複数の被充電機器の充電に関する制御指示を受け付ける指示受付ステップと、
自端末を含む、上記充電台の充電可能領域に配置されている被充電機器の充電に関する制御を行う管理機器であることを示す管理機器特定情報を設定する管理機器特定情報設定ステップと、
上記管理機器特定情報設定ステップで管理機器特定情報を設定すると、上記充電台に対
し、上記指示受付ステップで受け付けた制御指示のとおりに上記被充電機器を充電させる制御情報を、上記充電台により充電されているときに上記充電台に送信する制御情報送信ステップと、を含むことを特徴とする充電台制御端末の制御方法。
【請求項１６】
充電可能領域に配置された複数の被充電機器を充電する充電台の制御方法であって、
上記複数の被充電機器の少なくとも１つから、充電可能領域に配置されている被充電機器の充電に関する制御を行うことができる機器であること示す制御可能情報を取得する制御可能情報取得ステップと、
上記制御可能情報取得ステップで取得した、制御可能情報の送信元である被充電機器の中から、充電可能領域に配置されている被充電機器の充電に関する制御を行う管理機器を判断する管理機器判断ステップと、
上記管理機器判断ステップで、管理機器として判断した被充電機器に対し、管理機器であると判断したことを示す管理機器特定情報を送信する管理機器特定情報送信ステップと、
上記管理機器特定情報送信ステップで管理機器特定情報を送信した被充電機器から、充電可能領域に配置されている被充電機器の充電に関する制御指示を受け付けると、該制御指示のとおりに充電可能領域に配置されている被充電機器の充電を行う充電ステップと、を含むことを特徴とする充電台の制御方法。
【請求項１７】
請求項１〜８のいずれか１項に記載の充電台制御端末を動作させる充電台制御端末制御プログラムであって、コンピュータを上記の各手段として機能させるための充電台制御端末制御プログラム。
【請求項１８】
請求項９〜１４のいずれか１項に記載の充電台を動作させる充電台制御プログラムであって、コンピュータを上記の各手段として機能させるための充電台制御プログラム。
【請求項１９】
請求項１７に記載の充電台制御端末制御プログラム、および請求項１８に記載の充電台制御プログラムの少なくとも何れか一方を記録したコンピュータ読み取り可能な記録媒体。
【発明の詳細な説明】
【技術分野】
【０００１】
本発明は、充電台を制御する充電台制御端末、および該充電台制御端末により制御される充電台に関するものであり、特に、電気的な接点を有しないで充電を行う充電台を制御する充電台制御端末、充電台制御端末の制御方法、充電台制御端末制御プログラム、および、該充電台制御端末により制御される充電台、充電台制御方法、充電台制御プログラム、並びにこれらのプログラムが記録されたコンピュータ読み取り可能な記録媒体に関するものである。
【背景技術】
【０００２】
近年、携帯電話、携帯オーディオプレーヤ、携帯ムービープレーヤ等の携帯機器が使用されるようになってきている。また、電話機能、オーディオプレーヤ機能、ムービープレーヤ機能、インターネット接続機能などを１つの端末に備えた多機能の携帯機器も使用されるようになってきている。このような携帯機器を使用するためには、充電することが必要となるが、充電する度に携帯機器と充電器とを電気的に接続しなければならないのでは、煩わしい。特に、複数の携帯機器を充電する場合、それぞれの携帯機器を充電器と接続して充電を行わなくてはならないのでは、かなりの手間がかかってしまう。
【０００３】
そこで、携帯機器の充電器として、金属の接点を持たずに非接触で充電を行う無接点充電システムが注目されている。この無接点充電システムは、充電器に設けられた一次コイルと被充電機器である携帯機器に設けられた二次コイルとを磁気的に結合し、電磁誘導により一次コイル側から二次コイル側に非接触で電力を伝送して、充電を行うものである。
【０００４】
また、無接点充電システムでは、複数の被充電機器を載置して、それぞれの被充電機器を充電することができるものがある。
【０００５】
そして、特許文献１には、無接点の充電装置であって、優先設定がされた被充電機器が充電装置に載置されると、当該被充電機器に対して優先的に充電を行う充電装置が記載されている。
【０００６】
また、特許文献２には、無接点の充電台であって、被充電機器が載置された順序および場所に応じて、被充電機器の充電を行う充電台が記載されている。
【０００７】
また、特許文献３には、無接点の充電台であって、複数の被充電機器の優先度を設定し、設定した優先度に基づいて被充電機器の充電を行う充電台が記載されている。
【先行技術文献】
【特許文献】
【０００８】
【特許文献１】特開２０１０−−２２１０５号公報（２０１０年１月２８日公開）
【特許文献２】特開２０１０−１８３７０６号公報（２０１０年８月１９日公開）
【特許文献３】特開２０１０−２６８６１０号公報（２０１０年１１月２５日公開）
【発明の概要】
【発明が解決しようとする課題】
【０００９】
上述したように、無接点の充電器では、並行して複数の被充電機器を充電することが可能なため、これらの被充電機器の充電をどのように制御するかという点が問題となる。
【００１０】
そして、上記特許文献１に記載された発明では、優先設定されている被充電機器が優先して充電されるのみであり、複数の被充電機器の充電を制御することはできない。
【００１１】
また、上記特許文献２に記載された発明では、被充電機器が載置された順序および場所に応じて充電を行うものであり、それぞれの被充電機器の充電を制御することはできない。
【００１２】
また、上記特許文献３に記載された発明は、充電器において、被充電機器の充電の優先度を設定するものであり、充電器に優先度を設定するための処理部材が必要となり、充電器の構成を複雑にしてしまう。
【００１３】
本発明は、上記の点に鑑みてなされたものであり、その目的は、充電器の構成を複雑にすることなく容易かつ手軽に複数の被充電機器の充電制御を行うことができる充電台制御端末等を実現することにある。
【課題を解決するための手段】
【００１４】
上記課題を解決するために、本発明に係る充電台制御端末は、充電可能領域に配置されている複数の被充電機器を充電可能な充電台を制御する充電台制御端末であって、上記の複数の被充電機器の充電に関する制御指示を受け付ける指示受付手段と、充電台の被充電機器に対する充電処理により、蓄電池を充電する充電部と、自端末を含む、上記充電台の充電可能領域に配置されている被充電機器の充電に関する制御を行う管理機器であることを示す管理機器特定情報を設定する管理機器特定情報設定手段と、上記管理機器特定情報設定手段が管理機器特定情報を設定すると、上記充電台に対し、上記指示受付手段で受け付けた制御指示のとおりに上記被充電機器を充電させる制御情報を上記充電台に送信する制御情報送信手段と、を備えていることを特徴としている。
【００１５】
また、本発明に係る充電台制御端末の制御方法は、充電可能領域に配置されている複数の被充電機器を充電可能な充電台を制御する充電台制御端末の制御方法であって、上記の複数の被充電機器の充電に関する制御指示を受け付ける指示受付ステップと、自端末を含む、上記充電台の充電可能領域に配置されている被充電機器の充電に関する制御を行う管理機器であることを示す管理機器特定情報を設定する管理機器特定情報設定ステップと、上記管理機器特定情報設定ステップで管理機器特定情報を設定すると、上記充電台に対し、上記指示受付ステップで受け付けた制御指示のとおりに上記被充電機器を充電させる制御情報を上記充電台に送信する制御情報送信ステップと、を含むことを特徴としている。
【００１６】
上記の構成または方法によれば、自端末を含む被充電機器の充電に関する制御を行う管理機器であることを示す管理機器特定情報を設定すると、充電制御指示を受け付けて、充電台に対し、受け付けた制御の通りに被充電機器を充電させるように制御情報を送信する。
【００１７】
これにより、自端末が被充電機器として充電台によって充電可能であるとともに、当該自端末が、充電台に配置されている被充電機器の充電制御を行う機器として機能する。よって、被充電機器により充電台の充電制御を行うことができ、充電台の構成を複雑にすることなく、ユーザに対し、容易かつ手軽に被充電機器の充電制御を行わせることができる。
【００１８】
本発明に係る充電台制御端末では、表示部と、上記充電可能領域に配置された上記被充電機器に関する被充電機器情報を、上記充電台から取得する被充電機器情報取得手段と、上記被充電機器情報取得手段が取得した上記被充電機器情報を用いて、上記表示部に上記被充電機器の情報を表示させる表示制御手段と、を備えているものであってもよい。
【００１９】
上記の構成によれば、充電台に配置されている被充電機器に関する情報を表示部に表示する。よって、ユーザに対し、被充電機器に関する情報を提示することができる。また、ユーザは、被充電機器の充電制御をどのようにするかを決定するための参考情報を得ることができる。
【００２０】
本発明に係る充電台制御端末では、上記被充電機器情報には、当該被充電機器の上記充電可能領域における位置を示す位置情報が含まれており、上記表示制御手段は、上記位置情報を用いて、上記充電可能領域における被充電機器の位置と対応させて上記表示部に該被充電機器を示す図柄を表示させるものであってもよい。
【００２１】
上記の構成によれば、充電台に配置されている被充電機器の位置に対応して、表示部に該被充電機器を示す図柄を表示する。これにより、ユーザに対し、視覚的に被充電機器の配置を提示することができ、ユーザに容易に制御対象となる被充電機器を認識させることができる。
【００２２】
本発明に係る充電台制御端末では、上記被充電機器情報には、当該被充電機器の充電状況を示す充電状況情報が含まれており、上記表示制御手段は、上記充電状況情報を用いて、被充電機器と該被充電機器の充電状況とを対応付けて上記表示部に表示させるものであってもよい。
【００２３】
上記の構成によれば、被充電機器の充電状況を、該被充電機器と対応付けて表示する。これにより、ユーザに対し、被充電機器の充電状況を的確に認識させることができる。なお、充電状況とは、例えば、満充電に対する充電割合、充電異常等である。
【００２４】
本発明に係る充電台制御末では、上記被充電機器情報取得手段は、上記被充電機器情報を定期的に取得し、上記表示制御手段は、上記被充電機器情報取得手段が取得した最新の上記被充電機器情報を用いて、上記表示部に上記被充電機器の情報を表示するものであってもよい。
【００２５】
上記の構成によれば、表示制御手段は、定期的に最新の被充電機器情報を用いて、被充電機器の情報を表示部に表示させる。よって、充電台に配置されている被充電機器に変化があったとしても、変化後の状態に基づいて、表示部に表示を行わせることができる。これにより、常に、最新に近い被充電機器の状態をユーザに認識させることができる。
【００２６】
本発明に係る充電台制御端末では、上記充電に関する制御指示とは、充電順位の指示であり、上記制御情報送信手段は、上記充電台に対し、上記指示受付部で受け付けた、充電順位のとおりに上記被充電機器を充電させる制御情報を、上記充電台に送信するものであってもよい。
【００２７】
上記の構成によれば、充電台に配置されている被充電機器の充電順位を制御することができる。
【００２８】
本発明に係る充電台制御端末では、上記充電に関する制御指示とは、充電台の充電能力に対する各被充電機器の充電割合の指示であり、上記制御情報送信手段は、上記充電台に対し、上記指示受付部で受け付けた、充電割合のとおりに上記被充電機器を充電させる制御情報を、上記充電台に送信するものであってもよい。
【００２９】
上記の構成によれば、充電台に配置されている被充電機器の充電の割合、すなわち、充電台の充電能力のうち、何パーセントを当該非充電機器に割り当てるかを制御することができる。
【００３０】
本発明に係る充電台制御端末では、上記充電部は、上記充電台に内蔵された送電コイルと電磁結合することにより起電力が誘導され、誘導された起電力により蓄電池を充電するものであってもよい。
【００３１】
これにより、充電台との電磁結合により蓄電池を充電することができる。
【００３２】
上記課題を解決するために、本発明に係る充電台は、充電可能領域に配置された複数の被充電機器を充電する充電台であって、上記複数の被充電機器の少なくとも１つから、充電可能領域に配置されている被充電機器の充電に関する制御を行うことができる機器であること示す制御可能情報を取得する制御可能情報取得手段と、上記制御可能情報取得手段が取得した、制御可能情報の送信元である被充電機器の中から、充電可能領域に配置されている被充電機器の充電に関する制御を行う管理機器を判断する管理機器判断手段と、上記管理機器判断手段が、管理機器であると判断した被充電機器に対し、管理機器として判断したことを示す管理機器特定情報を送信する管理機器特定情報送信手段と、上記管理機器特定情報送信手段が管理機器特定情報を送信した被充電機器から、充電可能領域に配置されている被充電機器の充電に関する制御指示を受け付けると、該制御指示のとおりに充電可能領域に配置されている被充電機器の充電を行う充電手段と、を備えていることを特徴としている。
【００３３】
また、本発明に係る充電台の制御方法は、充電可能領域に配置された複数の被充電機器を充電する充電台の制御方法であって、上記複数の被充電機器の少なくとも１つから、充電可能領域に配置されている被充電機器の充電に関する制御を行うことができる機器であること示す制御可能情報を取得する制御可能情報取得ステップと、上記制御可能情報取得ステップで取得した、制御可能情報の送信元である被充電機器の中から、充電可能領域に配置されている被充電機器の充電に関する制御を行う管理機器を判断する管理機器判断ステップと、上記管理機器判断ステップで、管理機器であると判断した被充電機器に対し、管理機器として判断したことを示す管理機器特定情報を送信する管理機器特定情報送信ステップと、上記管理機器特定情報送信ステップで管理機器特定情報を送信した被充電機器から、充電可能領域に配置されている被充電機器の充電に関する制御指示を受け付けると、該制御指示のとおりに充電可能領域に配置されている被充電機器の充電を行う充電ステップと、を含むことを特徴としている。
【００３４】
上記の構成、または方法によれば、充電可能領域に配置されている被充電機器の中から、配置されている被充電機器の充電に関する制御を行わせる管理機器を判断し、判断した管理機器に対し、その旨を通知する。そして、該管理機器から受け付けた制御指示に基づき、配置されている被充電機器の充電制御を行う。
【００３５】
これにより、充電可能領域に配置されている被充電機器に、充電の制御を行わせることができる。
【００３６】
なお、管理機器の判断は、被充電機器の中から管理機器を決定し、管理機器として決定した被充電機器を管理機器と判断してもよいし、被充電機器から該被充電機器が管理機器であることを示す情報を取得し、該被充電機器を管理機器と判断するものであってもよい。
【００３７】
本発明に係る充電台では、最初に制御可能情報を送信した被充電機器を管理機器に決定する管理機器決定手段を備え、上記管理機器判断手段は、上記管理機器決定手段が管理機器として決定した被充電機器を、上記管理機器と判断するものであってもよい。
【００３８】
上記の構成によれば、最初に制御可能情報を送信した被充電機器を管理機器に決定する。これにより、管理機器を決定することが可能になると、すぐに管理機器を決定し、判断することができる。
【００３９】
本発明に係る充電台では、制御可能情報を送信した被充電機器が複数存在する場合、所定の位置に配置されている被充電機器を管理機器に決定する管理機器決定手段を備え、上記管理機器判断手段は、上記管理機器決定手段が管理機器として決定した被充電機器を、上記管理機器と判断するものであってもよい。
【００４０】
上記の構成によれば、所定の位置に載置されている被充電機器を管理機器に決定する。これにより、ユーザに対し、どの被充電機器が管理機器であるかを容易に認識させることができる。所定の位置とは、例えば、充電可能領域の左上等、ユーザが予め認識し易い位置が考えられる。
【００４１】
本発明に係る充電台では、ユーザの指示を受け付ける受付手段と、制御可能情報を送信した被充電機器が複数存在する場合、上記受付手段で受け付けたユーザの指示により管理機器を決定する管理機器決定手段と、を備え、上記管理機器判断手段は、上記管理機器決定手段が管理機器として決定した被充電機器を、上記管理機器と判断するものであってもよい。
【００４２】
上記の構成によれば、ユーザの指示により、管理機器を決定するので、ユーザに対し、管理機器の決定を行わせることができる。よって、ユーザの意思により管理機器を決定することができる。
【００４３】
本発明に係る充電台では、充電可能領域に配置されている全ての被充電機器から、それぞれの被充電機器に関する情報を取得する被充電機器情報取得手段と、上記被充電機器情報取得手段が取得した被充電機器情報を、上記管理機器判断手段が管理機器と判断した被充電機器に送信する被充電機器情報送信手段と、を備えているものであってもよい。
【００４４】
上記の構成によれば、配置されている全ての被充電機器の被充電機器情報を取得して、管理機器に送信する。これにより、管理機器に対し、配置されている全ての被充電機器の被充電機器情報を認識させることができる。
【００４５】
本発明に係る充電台では、送電コイルを内蔵し、上記複数の被充電機器に内蔵された受電コイルと電磁結合することにより該受電コイルに起電力を誘導して上記複数の被充電機器を充電するものであってもよい。
【００４６】
これにより、電磁結合により、被充電機器を充電することができる。
【００４７】
なお、上記充電台制御端末、および充電台は、コンピュータによって実現してもよく、この場合には、コンピュータを上記各手段として動作させることにより上記の充電台制御端末および充電台をコンピュータにて実現させる充電台制御端末の制御プログラム、充電台の制御プログラム、およびこれらのうちの少なくとも何れか一方を記録したコンピュータ読み取り可能な記録媒体も、本発明の範疇に入る。
【発明の効果】
【００４８】
以上のように、本発明に係る充電台制御端末は、複数の被充電機器の充電に関する制御指示を受け付ける指示受付手段と、充電台に内蔵された送電コイルと電磁結合することにより起電力が誘導され、誘導された起電力により蓄電池を充電する充電部と、自端末を含む、上記充電台の充電可能領域に配置されている被充電機器の充電に関する制御を行う管理機器であることを示す管理機器特定情報を設定する管理機器特定情報設定手段と、上記管理機器特定情報設定手段が管理機器特定情報を設定すると、上記充電台に対し、上記指示受付手段で受け付けた制御指示のとおりに上記被充電機器を充電させる制御情報を上記充電台に送信する制御情報送信手段と、を備えている構成である。
【００４９】
また、本発明に係る充電台制御端末の制御方法は、複数の被充電機器の充電に関する制御指示を受け付ける指示受付ステップと、自端末を含む、上記充電台の充電可能領域に配置されている被充電機器の充電に関する制御を行う管理機器であることを示す管理機器特定情報を設定する管理機器特定情報設定ステップと、上記管理機器特定情報設定ステップで管理機器特定情報を設定すると、上記充電台に対し、上記指示受付ステップで受け付けた制御指示のとおりに上記被充電機器を充電させる制御情報を、上記充電台により充電されているときに上記充電台に送信する制御情報送信ステップと、を含む方法である。
【００５０】
これにより、自端末が被充電機器として充電台により充電可能であるとともに、当該自端末が、充電台に配置されている被充電機器の充電制御を行う機器として機能する。よって、被充電機器により充電台の充電制御を行うことができ、充電台の構成を複雑にすることなく、ユーザに対し、容易かつ手軽に被充電機器の充電制御を行わせることができるという効果を奏する。
【００５１】
また、本発明に係る充電台は、複数の被充電機器の少なくとも１つから、充電可能領域に配置されている被充電機器の充電に関する制御を行うことができる機器であること示す制御可能情報を取得する制御可能情報取得手段と、上記制御可能情報取得手段が取得した、制御可能情報の送信元である被充電機器の中から、充電可能領域に配置されている被充電機器の充電に関する制御を行う管理機器を判断する管理機器判断手段と、上記管理機器判断手段が、管理機器であると判断した被充電機器に対し、管理機器として判断したことを示す管理機器特定情報を送信する管理機器特定情報送信手段と、上記管理機器特定情報送信手段が管理機器特定情報を送信した被充電機器から、充電可能領域に配置されている被充電機器の充電に関する制御指示を受け付けると、該制御指示のとおりに充電可能領域に配置されている被充電機器の充電を行う充電手段と、を備えている構成である。
【００５２】
また、本発明に係る充電台の制御方法は、複数の被充電機器の少なくとも１つから、充電可能領域に配置されている被充電機器の充電に関する制御を行うことができる機器であること示す制御可能情報を取得する制御可能情報取得ステップと、上記制御可能情報取得ステップで取得した、制御可能情報の送信元である被充電機器の中から、充電可能領域に配置されている被充電機器の充電に関する制御を行う管理機器を判断する管理機器判断ステップと、上記管理機器判断ステップで、管理機器であると判断した被充電機器に対し、管理機器に判断したことを示す管理機器特定情報を送信する管理機器特定情報送信ステップと、上記管理機器特定情報送信ステップで管理機器特定情報を送信した被充電機器から、充電可能領域に配置されている被充電機器の充電に関する制御指示を受け付けると、該制御指示のとおりに充電可能領域に配置されている被充電機器の充電を行う充電ステップと、を含む方法である。
【００５３】
これにより、配置されている被充電機器に、充電の制御を行わせることができるという効果を奏する。
【図面の簡単な説明】
【００５４】
【図１】本発明の実施の形態を示すものであり、携帯電話の要部構成を示すブロック図である。
【図２】本発明の実施の形態を示すものであり、充電台の要部構成を示すブロック図である。
【図３】本発明の実施の形態に係る接点充電システムの概要を説明するための図である。
【図４】上記実施の形態で用いる、機器リストおよび順位リストを示す図であり、（ａ）は機器リストを示す図であり、（ｂ）は順位リストを示す図である。
【図５】ＷＰＣ規格による充電処理の流れを示すフローチャートである。
【図６】充電台に初めて被充電機器が載置された場合の処理の流れを示すシーケンス図である。
【図７】充電台に、初めて管理機器が載置された場合の処理の流れを示すシーケンス図である。
【図８】充電台に、管理機器である携帯電話が載置されている状態で、さらに被充電機器が載置された場合の処理の流れを示すシーケンス図である。
【図９】定時通信の処理の流れを示すシーケンス図である。
【図１０】充電台から被充電機器が取り除かれた場合の処理の流れを示すシーケンス図である。
【図１１】充電台により充電中の非充電機器が満充電になった場合の処理の流れを示すシーケンス図である。
【図１２】機器リストに基づいて表示が行われるときの表示画面例を示す図である。
【図１３】上記携帯電話の表示部の表示例を示す図である。
【図１４】上記携帯電話の表示部の表示例を示す図である。
【発明を実施するための形態】
【００５５】
〔本実施の形態の概要〕
まず、本実施の形態の概要について、図３を用いて説明する。本実施の形態に係る無接点充電システム１０は、金属の接点がない無接点充電方式で被充電機器の充電を行うものである。具体的に図３を参照して説明する。図３は、無接点充電システム１０の概要を説明するための図である。図３には、充電台２に、携帯電話（充電台制御端末、被充電機器）１、デジタルカメラ（被充電機器）３、携帯音楽プレーヤ（被充電機器）４、およびノートパソコン（被充電機器）５が載置されている状態が示されている。
【００５６】
このように、充電台２に被充電機器（携帯電話１、デジタルカメラ３、携帯音楽プレーヤ４、ノートパソコン５）を載置することで、これらの被充電機器の充電を行うことが可能となる。なお、本実施の形態では、ＷＰＣ（Wireless Power Consortium）の規格（以降、ＷＰＣ規格と呼ぶ）に基づく無接点充電方式（充電処理）により、充電を行うのものである。
【００５７】
そして、本実施の形態は、被充電機器の１つである携帯電話１により、充電台２に載置されている被充電機器（携帯電話１を含む）の充電順位等を制御するものである。これにより、携帯電話１により、容易かつ手軽に被充電機器の充電を制御することができ、携帯電話１のユーザが、被充電機器の制御を手軽かつ容易に行えるようにすることができる。
【００５８】
〔携帯電話１の構成〕
まず、本発明の一実施の形態である携帯電話１の構成について図１を参照して説明する。図１は、携帯電話１の要部構成を示すブロック図である。携帯電話１は、充電台２によって充電される被充電機器であるとともに（電力伝送を破線で示す）、充電台２に載置されている被充電機器の充電を制御するものであり、操作部１１、表示部１２、制御部１３、蓄電池１４、充電部（受電コイル）１５、および記憶部１６を含む構成である。なお、携帯電話１の電話機能については、公知の技術を用いて可能であり、その説明は省略する。また携帯電話１は、電話機能だけでなく、インターネットに接続しウェブを閲覧する機能や電子メールの送受信を行う機能を備えていてもよい。なお、これらの機能も公知の技術を用いて可能である。
【００５９】
操作部１１は、被充電機器に対する制御の指示を受け付けるとともに、携帯電話１に対する操作を受け付けるものであり、受け付けた操作内容を制御部１３、および指示受付部２３に通知するものである。操作部１１は、操作ボタン等のハードウェアによって実現されてもよいし、表示部１２と兼ねて、タッチパネルにより構成されてもよい。すなわち、表示部１２にボタン等を表示し、当該ボタンに対応する位置の接触をタッチパネルで検知することにより、操作内容を受け付けるものであってもよい。
【００６０】
表示部１２は、充電台２に載置されている被充電機器の状態や、携帯電話１における各種情報等を表示するものである。
【００６１】
蓄電池１４は、充電によって繰り返し使用可能な電池である。蓄電池１４は、充電部１５を介して取得した電力によって充電される。
【００６２】
充電部１５は、コイルによって構成されており、充電台２のコイル（一次コイル：充電部３２）に電流が流れると、電磁誘導によって電流が流れ、これにより蓄電池１４を充電するものである。なお、本実施の形態では、充電台２のコイルに電流を流すことにより電磁誘導が発生し、充電部１５に電流が流れることを、充電台２から携帯電話１への電力伝送と呼ぶ。
【００６３】
制御部１３は、充電に関する処理を行うものであり、充電制御部２１、および被充電機器制御部（管理機器特定情報設定手段）２２を含む構成である。
【００６４】
充電制御部２１は、携帯電話１の充電を制御するものである。より詳細には、充電制御部２１は、充電部１５を介して、充電台２から、認証を求めるデータ＃１５ａを受信すると、充電台２に対し返信データ＃２１ａを送信するとともに、充電台２に対し携帯電話１の基本情報データ＃２１ｂに携帯電話１が管理機器であることを示す情報ビット「Ｃ」（管理可能情報）を加えて送信する。また、充電台２から電力伝送を受けると蓄電池１４の充電状況データ（充電状況情報）＃１４を取得して充電台２へ送信する。ここで、基本情報とは、携帯電話１の機器名、製造者コード、シリアルナンバー、機器カテゴリである。なお、基本情報はこれに限られるものではなく、機器を特定できる情報であればどのようなものであってもよい。
【００６５】
また、携帯電話１と充電台２との通信は、充電部１５を介してのみ、すなわち充電中のみ可能である。これは、携帯電話１と充電台２との通信が、電磁結合により行われているためである。これは、充電台２と他の被充電機器との間においても同様である。
【００６６】
被充電機器制御部２２は、被充電機器の充電を制御するものであり、指示受付部（指示受付手段）２３、制御情報送信部（制御情報送信手段）２４、取得部２５、および表示制御部（表示制御手段）２６を含む構成である。被充電機器制御部２２は、充電部１５を介して充電台２に対し、機器リストを要求する機器リスト要求データ＃２２ａを送信し、充電台２から機器リストを示す機器リストデータ（被充電機器情報）＃１５ｃを取得するものである。そして、取得した機器リストを記憶部１６の機器リスト記憶部２８に記憶する。
【００６７】
また、被充電機器制御部２２は、指示受付部２３で受け付けたユーザの指示により、充電台２に載置されている被充電機器の充電順位を示す順位リストを作成し、順位リスト記憶部２７に記憶する。順位リストは、機器リスト記憶部２８に記憶されている機器リストから管理ＩＤと充電順位のみを抽出し、これを更新することにより作成する。そして、被充電機器制御部２２は、記憶部１６の順位リスト記憶部２７に記憶されている、被充電機器の充電順位を示す順位リストを示す順位リストデータ＃２２ｂを、充電部１５を介して充電台２に送信する。
【００６８】
指示受付部２３は、操作部１１を介してユーザから受け付けた指示を制御情報送信部２４に通知するものである。より詳細には、ユーザから受け付けた被充電機器の充電順位や、充電割合を示す制御情報を制御情報送信部２４に通知する。
【００６９】
制御情報送信部２４は、指示受付部２３から通知された制御情報を示す制御情報データ＃２４を、充電部１５を介して充電台２に送信するものである。
【００７０】
取得部２５は、充電部１５を介して充電台２から、自端末が管理機器に決定したことを示す管理機器特定データ（管理機器特定情報）＃１５ｂ、および充電台２に載置されている被充電機器に関する情報である機器リストを示す機器リストデータ＃１５ｃを取得するものである。そして、取得した機器リストを表示制御部２６へ通知する。
【００７１】
表示制御部２６は、取得部２５から取得した機器リストに基づいて、表示部１２に被充電機器の状況を表示するものである。具体的には、表示部１２を、載置部３１を上から見たような状態に見立て、機器リストに記載されている被充電機器およびその充電状況を、それぞれの位置で表示する。これは、機器リストに含まれている位置情報４１７により可能である。
【００７２】
なお、制御部１３における各処理の流れについては、後述する。
【００７３】
記憶部１６は、被充電機器の充電の制御に用いる機器リストを記憶している機器リスト記憶部２８、および順位リストを記憶している順位リスト記憶部２７を含むものである。機器リスト、および順位リストについて、図４を参照して説明する。図４は、機器リストおよび順位リストを示す図であり、（ａ）が機器リストの例を示す図であり、（ｂ）が順位リストの例を示す図である。図４の（ａ）に示すように、機器リストは、管理ＩＤ４１１、充電順位４１２、製造者コード４１３、機器名４１４、シリアルナンバー４１５、機器カテゴリ４１６、位置情報４１７、電池残量４１８、および情報ビット４１９から構成されている。
【００７４】
機器リストは、充電台２により作成され、携帯電話１に送信されるものである。管理ＩＤ４１１は、充電台２が、載置されている被充電機器に対し、管理用に割り当てる番号である。充電順位４１２は、載置されている被充電機器の充電順位を示すものである。製造者コード４１３は、充電台２が被充電機器から取得した当該被充電機器の製造者を示すコードである。
【００７５】
機器名４１４は、充電台２が被充電機器から取得した当該被充電機器の名称を示すものである。シリアルナンバー４１５は、充電台２が被充電機器から取得した当該被充電機器を特定するための番号である。機器カテゴリ４１６は、充電台２が被充電機器から取得した当該被充電機器のカテゴリを示すものである。
【００７６】
位置情報４１７は、被充電機器が充電台２のどの位置に載置されているかを示すものである。ここでは、座標で示されている。電池残量４１８は、充電台２が被充電機器から取得した当該被充電機器の電池の残量を示すものである。情報ビット４１９は、充電台２が被充電機器から取得した、または充電台２が設定した、当該被充電機器の情報を示すビットである。
【００７７】
図４の（ａ）に示す機器リスト４０１では、図３に示すように充電台２に携帯電話１、デジタルカメラ３、携帯音楽プレーヤ４、およびノートパソコン５が載置されている場合を示している。具体的には、デジタルカメラ３と管理ＩＤ４１１が「０００２」で示される被充電機器とが対応し、この被充電機器の充電順位４１２が「１」であり、製造者コード４１３が「０ｘ１２３４」、機器名４１４が「Ａ」、シリアルナンバー４１５が「０３１４２０１０１１２１」、機器カテゴリ４１６が「カメラ」、位置情報４１７が「６４，１９２」、電池残量４１８が「９０％」、情報ビット４１９が無し、ということが示されている。以下、携帯音楽プレーヤ４と管理ＩＤ４１１が「０００４」で示される被充電機器とが対応し、ノートパソコン５と管理ＩＤ４１１が「０００５」で示される被充電機器とが対応し、ノートパソコン５と管理ＩＤ４１１が「０００６」で示される被充電機器とが対応する。
【００７８】
なお、位置情報４１７は、充電台２の載置部３１における被充電機器の位置を示すものであり、座標で示している。位置情報４１７が「６４，１９２」とは、載置部３１を上から見たときの左下の位置を「０，０」として右に「６４」、上に「１９２」進んだ位置を示している。なお、位置を示す方法はこれに限られるものではない。
【００７９】
また、管理ＩＤ４１１が「０００６」の情報ビット４１９に立っている「Ｍ、Ｃ」というビットは、充電台２に載置されている被充電機器の充電制御を行うことができる機器であるか否かを示している。情報ビット４１９「Ｃ」は、被充電機器の充電制御を行うこと能力を有する機器で有ることを示し、情報ビット４１９「Ｍ」は、その時点における被充電機器の充電制御を行っている機器（管理機器）であることを示している。よって、ここでは、管理ＩＤ４１１「０００６」が、携帯電話１に相当する。
【００８０】
順位リストは、ユーザの指示により被充電機器制御部２２で作成されるものである図４の（ｂ）に示すように、順位リストは、管理ＩＤ４２１および充電順位４２２から構成されている。管理ＩＤ４２１は管理ＩＤ４１１と同様であり、充電順位４２２は充電順位４１２と同様である。
【００８１】
なお、情報ビット「Ｍ」は、充電台２によって設定されてもよいし、携帯電話１で設定するものであってもよい。情報ビット「Ｍ」を携帯電話１で設定した場合は、携帯電話１の基本情報データ＃２１ｂに、情報ビット「Ｃ」および情報ビット「Ｍ」を加えて、充電台２に送信する。
【００８２】
以上のように、携帯電話１は、充電台２によって充電される被充電機器であるとともに、充電台２の載置されている被充電機器の充電の制御を行うことができるものである。
【００８３】
また、携帯電話１以外の被充電機器（デジタルカメラ３、携帯音楽プレーヤ４、ノートパソコン５）は、管理機器としての機能を有していないので、携帯電話１の構成から被充電機器制御部２２が抜けた構成であり、認証の返信（＃２１ａ）、基本情報（＃２１ｂ）、および充電状況（＃１４）についてのみ充電台２に送信可能である。
【００８４】
〔充電台２の構成〕
次に、充電台２の要部構成について、図２を参照して説明する。図２は、充電台２の要部構成を示すブロック図である。図２に示すように、充電台２は、載置部３１、充電部（送電コイル）３２、制御部３３、および記憶部３４を含む構成である。
【００８５】
また、図２に示すように、充電台２は被充電機器（携帯電話１、デジタルカメラ３、携帯音楽プレーヤ４、ノートパソコン５）を充電するものである。電力伝送については破線で示す。
【００８６】
載置部３１は、被充電機器が載置される部分（充電可能領域）であり、台等により構成されている。充電部３２は、被充電機器のコイル（二次コイル）に電流を流すためのコイル（一次コイル）である。
【００８７】
制御部３３は、被充電機器の充電の制御を含む充電台２の制御を行うものであり、検知部４１、および充電制御部４２を含む構成である。
【００８８】
検知部４１は、載置部３１に機器が載置されたか否かを検知するととともに、載置された場合、載置されたこと、および載置部３１における位置を充電制御部４２に通知するものである。
【００８９】
充電制御部４２は、被充電機器の充電を制御するものであり、取得部（制御可能情報取得手段、被充電機器情報取得手段）４３、機器リスト作成部４４、管理機器決定部（管理機器決定手段、管理機器判断手段）４５、および送信部（管理機器特定情報送信手段、被充電機器情報送信手段）４６を含む構成である。より詳細には、充電制御部４２は、検知部４１から載置部３１に機器が載置されたことの通知を取得し、充電部３２を介して当該機器に対し認証を求める認証データ＃１５ａを送信するものである。そして、認証データ＃１５ａに対し、正常に返信データ＃２１ａを受信すると、当該機器は被充電機器であると判定し、該被充電機器の基本情報データ＃２１ｂを取得するものである。また、充電制御部４２は、機器リスト作成部４４が作成した機器リストに従って、被充電機器の充電を行うものである。また、充電制御部４２は、充電管理機器である携帯電話１から機器リストの要求である機器リスト要求データ＃２２ａを受信すると、携帯電話１に対し機器リストを送信する。
【００９０】
取得部４３は、充電部３２を介し、携帯電話１から、被充電機器の充電の制御を行う能力を有することを示す管理可能情報（情報ビット「Ｃ」：制御可能情報）＃３２、被充電機器の充電の制御内容を示す制御情報データ＃２４を取得するとともに、携帯電話１を含む被充電機器から、当該被充電機器に関する情報である基本情報＃２１ｂを取得する。そして、取得した被充電機器情報を機器リスト作成部４４に通知するとともに、管理可能情報を管理機器決定部４５に通知する。
【００９１】
機器リスト作成部４４は、取得した基本情報データ＃２１ｂから機器リストを作成し、記憶部３４の機器リスト記憶部４７に記憶するものである。具体的には、機器リスト作成部４４は、基本情報データ＃２１ｂに、管理ＩＤ、充電順位、電池残量、情報ビットを加えて機器リストを作成する。充電順位は、被充電機器が載置された順序や、載置されている位置等によって決定する。また、電池残量はＷＰＣ規格のフェーズＰＨ１０４（後述する）により被充電機器から取得する。また、情報ビットのうち、被充電機器から取得するもの（情報ビット「Ｃ」）は、基本情報とともに取得する。また、情報ビットのうち、充電台２で決定するもの（情報ビット「Ｍ」）は、機器リスト作成部４４で決定して機器リスト作成する。情報ビット「Ｍ」を加えるか否かは、後述する管理機器決定部４５の指示により決定する。例えば、最初の載置された情報ビット「Ｃ」を有する機器に対し、情報ビット「Ｍ」を加える。
【００９２】
管理機器決定部４５は、取得部４３から取得した管理可能情報から、被充電機器の充電制御を行うことができる管理機器を決定する。管理機器は、管理可能情報を最初に送信した被充電機器に決定してもよいし、充電台２の載置位置によって決定してもよいし、ユーザの指示により決定してもよい。そして、管理機器に決定した被充電機器を示す情報を機器リスト作成部４４、および送信部４６に通知する。
【００９３】
また、充電台２で管理機器を決定せずに、管理機器である携帯電話１から管理機器であることを示す情報を取得し、当該携帯電話１を管理機器として判断する構成であってもよい。そして、管理機器として判断した携帯電話１に対し、充電台２で管理機器を決定した場合と同様の処理を行ってもよい。
【００９４】
送信部４６は、管理機器に決定した被充電機器に対し、当該被充電機器が管理機器に決定したことを示す管理機器特定データ＃１５ｂを携帯電話１に送信する。
【００９５】
記憶部３４は、機器リストを記憶する機器リスト記憶部４７を含む構成である。機器リスト記憶部４７に記憶されている機器リストは、上述した機器リスト記憶部２８に記憶されている機器リストと同様である。
【００９６】
〔無接点充電システム１０における処理の流れ〕
次に、無接点充電システム１０における処理の流れについて、図５〜１４を参照して説明する。
【００９７】
〔ＷＰＣ規格による無接点充電方式〕
まず、本実施の形態における処理の流れを説明する前に、ＷＰＣ規格による充電処理の基本的な流れについて図５を参照して説明する。図５は、ＷＰＣ規格による充電処理の流れを示すフローチャートである。図５に示すように、ＷＰＣ規格では、まず、充電台は、「Ｓｅｌｅｃｔｉｏｎフェーズ」と呼ばれる待機状態にある（ＰＨ１０１）。次に、充電台に被充電機器が載置されると、「Ｐｉｎｇフェーズ」と呼ばれるフェーズに入る（ＰＨ１０２）。「Ｐｉｎｇフェーズ」では、充電台から被充電機器に対し、電力を供給して返信を待つ。そして、正しい返信があれば、次の「Ｃｏｎｆｉｇｕｒａｔｉｏｎ  ＆  Ｉｄｅｎｔｉｆｉｃａｔｉｏｎフェーズ」に入る（ＰＨ１０３）。これにより、ＷＰＣ規格に非対応の被充電機器や元々被充電機器ではない異物等が充電台に載置された場合に誤って充電が行われて、発熱等の事故が起こることを防止している。
【００９８】
「Ｃｏｎｆｉｇｕｒａｔｉｏｎ  ＆  Ｉｄｅｎｔｉｆｉｃａｔｉｏｎフェーズ」では、充電台は、被充電機器から要求している電力量や被充電機器の基本情報を取得する。そして、次の「Ｐｏｗｅｒ  Ｔｒａｎｓｆｅｒフェーズ」に入る（ＰＨ１０４）。
【００９９】
「Ｐｏｗｅｒ  Ｔｒａｎｓｆｅｒフェーズ」では、電力伝送が行われる。また、常に、被充電機器から電力伝送の状況が充電台に送られる。そして、充電が完了するとＰＨ１０１に戻る。
【０１００】
以上が、ＷＰＣ規格による充電処理の基本的な流れである。
【０１０１】
〔被充電機器が初めて充電台に載置された場合〕
次に、充電台２に初めて被充電機器が載置された場合の充電処理の流れについて、図６を参照して説明する。図６は、充電台２に初めて被充電機器が載置された場合の処理の流れを示すシーケンス図である。
【０１０２】
図６に示すように、充電台２の載置部３１に被充電機器が載置されると、充電台２の検知部４１が、これを検知する（Ｓ１１）。そして、充電台２の充電制御部４２は、載置された被充電機器に対し、認証通信（ＰＨ１０２）を行う（Ｓ１２）。
【０１０３】
載置された被充電機器は、充電台２から認証通信が行われることにより、自機器が充電台２に載置されたことを認識する（Ｓ２１）。充電台２に載置されたことを認識した被充電機器は、基本情報を充電台２に送信する（Ｓ２２）。また、充電台２は、被充電機器から基本情報を取得する（Ｓ１３、ＰＨ１０３）。
【０１０４】
被充電機器から基本情報を取得した充電台２は、機器リストを作成し（Ｓ１４）、被充電機器に対し電力伝送を開始する（Ｓ１５、ＰＨ１０４、充電処理）。そして、充電台２から電力を取得した被充電機器は、充電を開始する（Ｓ２３）。その後、被充電機器の充電が完了すると（Ｓ２４）、充電台２は電力伝送を終了する（Ｓ１６）。
【０１０５】
以上が、充電台２に初めて被充電機器が載置された場合の処理の流れである。
【０１０６】
〔管理機器が始めて充電台に載置された場合〕
次に、携帯電話１のような、充電制御が可能な管理機器が、初めて充電台２に載置された場合の処理の流れについて、図７、１２を参照して説明する。図７は、充電台２に、初めて管理機器が載置された場合の処理の流れを示すシーケンス図である。
【０１０７】
図７に示すように、充電台２の載置部３１に携帯電話１が載置されると、充電台２の検知部４１が、これを検知する（Ｓ３１）。そして、充電台２の充電制御部４２は、載置された携帯電話１に対し、認証通信（ＰＨ１０２）を行う（Ｓ３２）。
【０１０８】
載置された携帯電話１は、充電台２から認証通信が行われることにより、自機器が充電台２に載置されたことを認識する（Ｓ４１）。充電台２に載置されたことを認識した携帯電話１の充電制御部２１は、充電台２に対し、基本情報および、自機器が管理機器としての機能を有していることを示す情報ビット「Ｃ」を送信する（Ｓ４２）。
【０１０９】
基本情報および情報ビット「Ｃ」を取得した充電台２は（Ｓ３３、制御可能情報取得ステップ）、機器リスト作成部４４が機器リストを更新し（Ｓ３４）、充電台２に載置されている被充電機器の充電を制御する機器に対し情報ビット「Ｍ」を立てる（Ｓ３５、管理機器判断ステップ）。そして、情報ビット「Ｍ」を立てた機器リストを機器リスト記憶部２８に記憶する。このときの機器リストは、例えば図４の（ａ）に示す機器リスト４０１のようなものになる。ここでは、携帯電話１の管理ＩＤ４１１が「０００６」となり、情報ビット４１９に「Ｃ」および「Ｍ」が立っていることがわかる。また、機器リスト４０１に示す例は、携帯電話１が載置される前に、既に、管理ＩＤ４１１「０００２」、「０００４」、「０００５」で示される被充電機器が載置されていた場合を示している。
【０１１０】
上述したように、充電台２に載置されている被充電機器の充電を制御する機器、すなわち情報ビット「Ｍ」を立てる機器は、情報ビット「Ｃ」が立っている機器のうち、最初に載置された機器にしてもよいし、載置部３１の位置に応じて決定してもよい。また、ユーザからの指示を受け付けて決定してもよい。
【０１１１】
また、情報ビット「Ｍ」を充電台２で立てる構成ではなく、携帯電話１で立てられたものを取得する構成であってもよい。
【０１１２】
機器リストを更新した充電台２は、情報ビット「Ｍ」が立っている機器、すなわち携帯電話１に対し、電力伝送を開始する（Ｓ３６、ＰＨ１０４）。充電台２の電力伝送の開始により、充電を開始した携帯電話１は（Ｓ４３）、充電台２に対し機器リストを要求する（Ｓ４４）。
【０１１３】
機器リストの要求を受けた充電台２は、機器リスト記憶部２８に記憶している機器リストを携帯電話１に送信する（Ｓ３７、管理機器特定情報送信ステップ）。そして、携帯電話１は、機器リストを取得すると（Ｓ４５、管理機器特定情報設定ステップ）、機器リストに基づいて、充電制御部２１に被充電機器の状況を表示する（Ｓ４６）。
【０１１４】
このときの表示例について、図１２を参照して説明する。図１２は、機器リストに基づいて表示が行われるときの表示画面例を示す図である。図１２の表示例１２０１は、図３に示すように、充電台２に携帯電話１、デジタルカメラ３、携帯音楽プレーヤ４、ノートパソコン５が載置されている場合を示している。この場合、表示部１２の表示領域１２１１には、載置部３１に載置されている被充電機器と同様の配置で、それぞれの被充電機器が表示されている。すなわち、表示領域１２１１には、左上に「カメラＡ」（デジタルカメラ３）、左下に「Ｙｏｕｒ  Ｐｈｏｎｅ」（携帯電話１）、右上に「ＭｐｌａｙｅｒＢ」（携帯音楽プレーヤ４）、右下に「ＰＣ  Ｘ」（ノートパソコン５）が表示されている。
【０１１５】
また、表示領域１２１１の下の表示領域１２１２には、各被充電機器の充電順位、および充電状況が表示されている。また、その下のＯＫボタン１２１３は、充電順位の変更等を行った場合の決定ボタンである。
【０１１６】
機器リストを送信した充電台２は、機器リストに従い、電力の伝送を行う（Ｓ３８）。すなわち、図４の（ａ）に示す機器リスト４０１の場合であれば、管理ＩＤ４１１が「０００２」で示されるデジタルカメラ３の充電順位４１２が「１」となっているので、デジタルカメラ３の充電を行う。
【０１１７】
その後、充電台２は、定時通信（Ｓ３９：後述する）を行い、機器リストが更新されると、更新後の機器リストに従い、被充電機器の充電を行う（Ｓ４０、充電ステップ）。
【０１１８】
一方、ステップＳ４６で、被充電機器の充電状況の表示を行った携帯電話１は、その後、充電順位の変更を受け付ける（Ｓ４７、指示受付ステップ）。充電順位の変更は、表示領域１２１２に表示されている各被充電機器の順序を充電順に並べ替えてもよいし、各機器の充電順位の番号を変更するようにしてもよい。充電順位の変更を受け付けた携帯電話１の被充電機器制御部２２は、順位リストを作成し、順位リスト記憶部２７に記憶する。順位リストは、図４の（ｂ）に示す順位リスト４０２のように、管理ＩＤ４２１と充電順位４２２とが対応付けられたリストである。順位リスト４０２では、管理ＩＤ４２１が「０００６」の被充電機器の充電順位が「１」となり、以下、管理ＩＤ４２１が「０００２」、「０００４」、「０００５」と続いている。すなわち、変更前の充電順位が機器リスト４０１のようになっていたとすると、携帯電話１の充電順位が「４」から「１」に上がり、以下、デジタルカメラ３の充電順位が「１」から「２」へ、携帯音楽プレーヤ４の充電順位が「２」から「３」へ、ノートパソコン５の充電順位が「３」から「４」へ下がったことになる。
【０１１９】
その後、定時通信により、充電台２との通信が可能となったときに、作成した順位リストを充電台２に送信する（Ｓ４８、制御情報送信ステップ）。
【０１２０】
以上が、管理機器である携帯電話１が、初めて充電台２に載置された場合の処理の流れである。
【０１２１】
〔充電台に管理機器が載置されており、さらに被充電機器が載置された場合〕
次に、充電台２に、管理機器である携帯電話１が載置されている状態で、さらに被充電機器が載置された場合の処理の流れについて、図８を参照して説明する。図８は、充電台２に、管理機器である携帯電話１が載置されている状態で、さらに被充電機器が載置された場合の処理の流れを示すシーケンス図である。
【０１２２】
図８に示すように、充電台２の載置部３１に被充電機器が載置されると、充電台２の検知部４１が、これを検知する（Ｓ５１）。そして、充電台２の充電制御部４２は、載置された被充電機器に対し、認証通信（ＰＨ１０２）を行う（Ｓ５２）。
【０１２３】
載置された被充電機器は、充電台２から認証通信が行われることにより、自機器が充電台２に載置されたことを認識する（Ｓ６１）。充電台２に載置されたことを認識した被充電機器は、基本情報を充電台２に送信する（Ｓ６２）。また、充電台２は、被充電機器から基本情報を取得する（Ｓ５３、ＰＨ１０３）。
【０１２４】
被充電機器から基本情報を取得した充電台２は、機器リストを更新し（Ｓ５４）、被充電機器に対し電力伝送を開始する（Ｓ５５、ＰＨ１０４）。そして、被充電機器は充電を開始して、充電状況を送信する（Ｓ６３）。
【０１２５】
被充電機器の充電状況を取得した充電台２は、次に、管理機器である携帯電話１に対し、フェーズＰＨ１０２〜１０４を実施する（Ｓ５６）。ＰＨ１０４により、充電台２と通信が可能となった携帯電話１は、充電台２に対し、機器リストを要求する（Ｓ６４）。
【０１２６】
携帯電話１から機器リストを要求された充電台２は、機器リスト記憶部４７に記憶している機器リストを携帯電話１へ送信する（Ｓ５７）。
【０１２７】
充電台２から機器リストを取得した携帯電話１は（Ｓ６５）、該機器リストに基づいて、表示部１２の表示を更新する（Ｓ６６）。その後、充電順位の変更を受け付けた場合は（Ｓ６７）、順位リストを更新し、定時通信時に充電台２に順位リストを送信する（Ｓ６８）。
【０１２８】
また、充電台２は、携帯電話１に機器リストを送信後は、機器リストの充電順位に従って、電力伝送を行う（Ｓ５８）。その後、定時通信を行い（Ｓ５９）、順位リストを取得すると、取得した順位リストに基づいて機器リストを更新し、更新した機器リストの充電順位に従って、電力伝送を行う（Ｓ６０）。
【０１２９】
以上が、充電台２に携帯電話１が載置されている状態で、さらに被充電機器が載置された場合の処理の流れである。
【０１３０】
〔定時通信〕
次に、定時通信について、図９を参照して説明する。図９は、定時通信の処理の流れを示すシーケンス図である。
【０１３１】
定時通信とは、充電台２が、情報ビット「Ｍ」が立っている管理機器（携帯電話１）に対し、定期的に通信を行うことにより、管理機器において更新された情報を、充電台２に反映させるものである。
【０１３２】
図９に示すように、定時通信では、充電台２は、まず、情報ビット「Ｍ」が立っている被充電機器（携帯電話１）に対し、フェーズＰＨ１０２〜１０４を実施する（Ｓ７１）。充電台２と通信が可能となった携帯電話１は、充電台２に対し、機器リストを要求する（Ｓ８１）。
【０１３３】
機器リストの要求を受けた充電台２は、機器リスト記憶部４７に記憶されている機器リストを携帯電話１に送信する（Ｓ７２）。機器リストを取得した携帯電話１は、取得した機器リストに基づいて、表示部１２の表示を更新する（Ｓ８３）。また、順位リストが更新されている場合、すなわち、取得した機器リストの充電順位と順位リストの充電順位とが異なる場合は、順位リストを充電台２に送信する（Ｓ８４）。
【０１３４】
順位リストを取得した充電台２は（Ｓ７３）、取得した順位リストに基づいて機器リストを更新する。そして、更新した機器リストに従って電力伝送を行う（Ｓ７４）。
【０１３５】
以上が、定時通信の流れである。
【０１３６】
〔充電台から被充電機器が取り除かれた場合〕
次に、充電台２から被充電機器が取り除かれた場合の処理の流れについて、図１０、１３を参照して説明する。図１０は、充電台２から被充電機器が取り除かれた場合の処理の流れを示すシーケンス図である。
【０１３７】
図１０に示すように、充電台２から被充電機器が取り除かれた場合、充電台２の検知部４１は、被充電機器が取り除かれたこと検知して（Ｓ９１）、充電制御部４２に通知する。被充電機器が取り除かれたことの通知を受けた充電制御部４２は、当該通知を受けてから、所定時間が経過すると、機器リスト記憶部４７に記憶している記憶リストから当該被充電機器を削除する（Ｓ９２）。所定時間が経過するまで、機器リストから上記被充電機器の削除を行わないのは、充電台２から取り除かれた機器がすぐに別の位置に載置される可能性があるため、すなわち、当該被充電機器の載置位置が移動しただけの場合があるためである。
【０１３８】
被充電機器の載置位置が移動した場合について、充電制御部４２は、次にようにして認識することができる。第１被充電機器が取り除かれたことを検知部４１が検知し、充電制御部４２に通知した後、第２被充電機器が充電台２に載置されたことを検知部４１が検知すると、検知部４１は、第２被充電機器を検知したことを充電制御部４２に通知する。第２被充電機器が充電台２に載置されたのが、第１被充電機器が取り除かれてから所定時間以内であれば、機器リストに第１被充電機器の情報が残っているので、充電制御部４２は、第２被充電機器から取得した基本情報と第１被充電機器の基本情報とを比較することができる。これにより、第１被充電機器と第２被充電機器とが同じものであることを認識することができ、第１被充電機器の載置位置が移動したということを認識することができる。
【０１３９】
充電制御部４２は、取り除かれた被充電機器を機器リストから削除すると、情報ビット「Ｍ」が立っている機器、すなわち管理機器（携帯電話１）と定時通信を行う（Ｓ９３）。
【０１４０】
定時通信により、携帯電話１は、更新された機器リストを取得する（Ｓ１０１）。そして、取得した機器リストに基づき、表示部１２の表示を更新する（Ｓ１０２）。これにより、携帯電話１の表示も、充電台２の非充電機器の状態を反映したものとなる。
【０１４１】
更新後の表示部１２の表示例について、図１３を参照して説明する。図１３は、表示部１２の表示例を示す図である。図１３の表示画面例１３０１では、図３に示す充電台２の状態から、デジタルカメラ３が取り除かれた場合を示している。充電台２からデジタルカメラ３が取り除かれると、図１２の表示画面例１２０１の状態から、表示画面例１３０１の表示領域１３１１に示すように、デジタルカメラ３の表示が消えるとともに、表示領域１３１２の充電機器リストの表示からデジタルカメラ３が消える。
【０１４２】
以上が、充電台２から被充電機器が取り除かれた場合の処理の流れである。
【０１４３】
〔充電中の被充電機器が満充電になった場合〕
次に、充電台２により充電中の非充電機器が満充電になった場合の処理の流れについて、図１１、１４を参照して説明する。図１１は、充電台２により充電中の非充電機器が満充電になった場合の処理の流れを示すシーケンス図である。
【０１４４】
図１１に示すように、充電中の非充電機器が満充電になると、充電台２の充電制御部４２は、フェーズ１０４により非充電機器が満充電になったことを認識する（Ｓ１１１）。そして、非充電機器が満充電になったこと認識すると、充電制御部４２は、機器リスト記憶部４７に記憶している機器リストを更新する（Ｓ１１２）。具体的には、機器リストの当該被充電機器に対応する電池残量４１８を「１００％」にする。
【０１４５】
そして、機器リストを更新すると、充電台２は、情報ビット「Ｍ」が立っている機器、すなわち管理機器（携帯電話１）と定時通信を行う（Ｓ１１３）。
【０１４６】
定時通信により、携帯電話１は、更新された機器リストを取得する（Ｓ１２１）。そして、取得した機器リストに基づき、表示部１２の表示を更新する（Ｓ１２２）。これにより、携帯電話１の表示も、充電台２の非充電機器の状態を反映したものとなる。
【０１４７】
更新後の表示部１２の表示例について、図１４を参照して説明する。図１４は、表示部１２の表示例を示す図である。図１４の表示画面例１４０１では、図３に示す充電台２の状態から、携帯電話１が満充電になった場合を示している。携帯電話１が満充電になると、図１２の表示画面例１２０１の状態から、表示画面例１４０１の表示領域１４１１に示すように、携帯電話１の表示が満充電を示す表示になる（ここでは、携帯電話１を示すアイコンに「満」の文字が重ねて表示されている）とともに、表示領域１４１２の充電機器リストの表示において、携帯電話１が満充電になったことを示す表示となっている。
【０１４８】
以上が、充電台２により充電中の被充電機器が満充電になった場合の処理の流れである。
【０１４９】
〔ソフトウェアによる構成〕
最後に、携帯電話１および充電台２の各ブロック、特に制御部１３の充電制御部２１、被充電機器制御部２２（指示受付部２３、制御情報送信部２４、取得部２５、表示制御部２６）、制御部３３の検知部４１、充電制御部４２（取得部４３、機器リスト作成部４４、管理機器決定部４５、送信部４６）は、集積回路（ＩＣチップ）上に形成された論理回路によってハードウェア的に実現していてもよいし、ＣＰＵ（central processing unit）を用いてソフトウェア的に実現してもよい。
【０１５０】
後者の場合、携帯電話１および充電台２は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話１および充電台２の制御プログラムのプログラムコード（実行形式プログラム、中間コードプログラム、ソースプログラム）をコンピュータで読み取り可能に記録した記録媒体を、上記の携帯電話１および充電台２に供給し、そのコンピュータ（またはＣＰＵやＭＰＵ（micro processing unit））が記録媒体に記録されているプログラムコードを読み出し実行することによっても、達成可能である。
【０１５１】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【０１５２】
また、携帯電話１および充電台２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５３】
なお、本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５４】
無接点充電台に載置され、当該無接点充電台により充電可能であるとともに、無接点充電台に載置されている被充電機器の充電を制御できるので、無接点充電台により充電可能な携帯端末に好適である。
【符号の説明】
【０１５５】
１    携帯電話（充電台制御端末、被充電機器）
２    充電台
３    デジタルカメラ（被充電機器）
４    携帯音楽プレーヤ（被充電機器）
５    ノートパソコン（被充電機器）
１４    蓄電池
１５    充電部（受電コイル）
２２    被充電機器制御部（管理機器特定情報設定手段）
２３    指示受付部（指示受付手段）
２４    制御情報送信部（制御情報送信手段）
２５    取得部
２６    表示制御部（表示制御手段）
３２    充電部（送電コイル）
４３    取得部（制御可能情報取得手段、被充電機器情報取得手段）
４５    管理機器決定部（管理機器決定手段、管理機器判断手段）
４６    送信部（管理機器特定情報送信手段、被充電機器情報送信手段）
【図１】
0005777954.tif 000002
【図２】
0005777954.tif 000003
【図３】
0005777954.tif 000004
【図４】
0005777954.tif 000005
【図５】
0005777954.tif 000006
【図６】
0005777954.tif 000007
【図７】
0005777954.tif 000008
【図８】
0005777954.tif 000009
【図９】
0005777954.tif 000010
【図１０】
0005777954.tif 000011
【図１１】
0005777954.tif 000012
【図１２】
0005777954.tif 000013
【図１３】
0005777954.tif 000014
【図１４】
0005777954.tif 000015